(57)【要約】【課題】ブルーシートと比較して、通気性を向上するとともにシート上に水が溜まりにくい日除けシートを提供する。【解決手段】日除けシートは補強ネットと日除け部とを備える。補強ネットは格子状に形成される。日除け部は、補強ネットに取り付けられ、遮光率が７０％以上９６％以下であってスリットヤーンを使用して構成された織物又は編物である。【選択図】図４
2020112005.tif 000002
【特許請求の範囲】
【請求項１】
格子状に形成された補強ネットと、
前記補強ネットに取り付けられ、遮光率が７０％以上９６％以下の日除け部であってスリットヤーンを使用して構成された織物又は編物である前記日除け部と
を備える日除けシート。
【請求項２】
請求項１に記載の日除けシートであって、
前記日除け部は前記スリットヤーンを経糸に使用した織物である日除けシート。
【請求項３】
請求項２に記載の日除けシートであって、
前記織物の経糸は前記スリットヤーンとモノフィラメントとで構成され、前記織物の緯糸はモノフィラメントである、日除けシート。
【請求項４】
請求項１から請求項３までのいずれか１項に記載の日除けシートであって、
前記日除けシートの全体の面積に対する前記日除け部の面積の割合が７０％以上９０％以下である日除けシート。
【請求項５】
請求項１から請求項４までのいずれか１項に記載の日除けシートであって、
前記スリットヤーンは、高密度ポリエチレンの極細長繊維によって構成される不織布である高密度ポリエチレン連続極細長繊維不織布により構成される、日除けシート。
【請求項６】
請求項５に記載の日除けシートであって、
前記スリットヤーンに用いられる前記高密度ポリエチレン極細長繊維不織布の坪量は、４０ｇ／ｍ２以上１２０ｇ／ｍ２以下である日除けシート。
【請求項７】
請求項１から請求項６までのいずれか１項に記載の日除けシートであって、
前記補強ネットの矩形状の空隙部の一辺の長さが５ｍｍ以上５０ｍｍ以下であり前記一辺に交差する前記空隙部の他の一辺の長さが５ｍｍ以上５０ｍｍ以下である日除けシート。
【請求項８】
請求項１から請求項７までのいずれか１項に記載の日除けシートであって、
前記補強ネットの外周部に設けられ前記日除けシートを設置するための設置用ロープ部を更に備える日除けシート。
【発明の詳細な説明】
【技術分野】
【０００１】
本開示は、日除けシートに関する。
【背景技術】
【０００２】
家屋の建築や改修工事の現場での屋外作業、特に、屋根工事においては、夏の炎天下では作業者が熱中症になったり、日差しによる疲労や高温状況下による体調不良が原因で高所から転落したりする危険性がある。これらの危険性を回避するために、ブルーシートを建築現場等において仮設される足場構造体の支柱などに取り付けて家屋等の屋根の上方に設置し、日差しを遮ることが行われている。
【発明の概要】
【発明が解決しようとする課題】
【０００３】
しかしながら、ブルーシートは通気性に乏しいため風に煽られて飛ばされることがある。また、ブルーシートが設置されている間に雨が降るとブルーシートの上面に雨が溜まり、雨水の重量に耐えかねてブルーシートが落下するおそれがある。
【０００４】
本開示の一局面は、ブルーシートと比較して通気性を向上するとともにシート上に水が溜まりにくい日除けシートを提供することを目的としている。
【課題を解決するための手段】
【０００５】
本開示の一態様は、日除けシートであって補強ネットと日除け部とを備える。補強ネットは格子状に形成される。日除け部は補強ネットに取り付けられ、遮光率が７０％以上９６％以下であってスリットヤーンを使用して構成された織物又は編物である。
【０００６】
このような構成によれば補強ネットが十分に風を通すため、ブルーシートと比較して通気性を向上できる。また、日除け部は織物又は編物であるため、水を通す隙間が日除け部に存在する。よって、ブルーシートと比較してシート上に水が溜まりにくくできる。
【０００７】
また、前記遮光率は、日除け部を構成する複数のスリットヤーンの間隔で調整されるものである。すなわち、複数のスリットヤーンの間隔が大きくなれば複数のスリットヤーンの間から漏れる太陽光の量が増加し、日除け部の遮光率が低下する。一方、複数のスリットヤーンの間隔が小さくなれば複数のスリットヤーンの間から漏れる太陽光の量が減少し、日除け部の遮光率が向上する。
【０００８】
日除け部の遮光率が７０％未満の場合、日除け部の日除け効果を充分に確保できない。一方、遮光率が９６％よりも大きい場合、シート上の水が複数のスリットヤーンの間を通って抜けにくくなり、また、複数のスリットヤーンの間を抜ける風量も減少する。
【０００９】
従って、上記構成によれば日除け部の日除け効果を確保しつつシートの水はけ効果及び風抜け効果を確保できる。
本開示の一態様では、日除け部はスリットヤーンを経糸に使用した織物であってもよい。
【００１０】
本開示の一態様では、織物の経糸はスリットヤーンとモノフィラメントとで構成される。緯糸はモノフィラメントである。
このような構成によれば、モノフィラメントにより日除け部が補強されて頑丈となる。従って、日除け部を破損しづらくできる。特に、日除け部の一部が破れてもその破れが伝搬することを抑制できる。
【００１１】
本開示の一態様では、日除けシートの全体の面積に対する日除け部の面積の割合が７０％以上９０％以下であることが好ましい。その理由は次のとおりである。すなわち、日除け部の面積の割合が７０％未満の場合、日除けシート全体としての遮光率が低下し、日除けシートの日除け効果を確保できない。一方、面積の割合が９０％よりも大きい場合、日除けシートのうち日除け部が取り付けられていない部分（すなわち補強ネットのみの部分）が少なくなり、補強ネットによる風抜け効果が減少する。従って、日除け部の面積の割合が７０％以上９０％以下とすることで日除けシートの日除け効果と風抜け効果との両方を確保できるためである。
【００１２】
本開示の一態様において、スリットヤーンは、高密度ポリエチレンの極細長繊維によって構成される不織布（以下、高密度ポリエチレン極細長繊維不織布。）により構成されていることが好ましい。その理由は、高密度ポリエチレン極細長繊維不織布の表面で太陽光が乱反射することにより高密度ポリエチレン極細長繊維不織布が優れた遮熱性を有するためである。例えば、米国デュポン社のタイベック（登録商標）が高密度ポリエチレン極細長繊維不織布に相当する。
【００１３】
本開示の一態様では、スリットヤーンに用いられる高密度ポリエチレン極細長繊維不織布の坪量は、４０ｇ／ｍ２以上１２０ｇ／ｍ２以下であることが好ましい。その理由は次のとおりである。すなわち、坪量が４０ｇ／ｍ２よりも小さいと風などの影響でスリットヤーンが破れやすくなる。また坪量が１２０ｇ／ｍ２よりも大きいと日除けシートが重くなり、日除けシートの設置等の作業性が低下する。よって、坪量を４０ｇ／ｍ２以上１２０ｇ／ｍ２以下とすることでスリットヤーンを破れにくくでき、かつ、日除けシートの設置等の作業性の低下を抑制できるためである。
【００１４】
本開示の一態様では、補強ネットの矩形状の空隙部の一辺の長さが５ｍｍ以上５０ｍｍ以下であり、前記一辺に交差する空隙部の他の一辺の長さが５ｍｍ以上５０ｍｍ以下であることが好ましい。その理由は次のとおりである。すなわち、空隙部の一辺及び他の一辺の長さが５ｍｍ未満の場合、補強ネットを通過する風量が低下し、風抜けの効果が低減する。また、補強ネットの編み目が密になるため補強ネットにかかるコストも増加する。一方、空隙部の一辺及び他の一辺の長さが５０ｍｍよりも大きい場合、例えば縫着等で日除け部を補強ネットに取り付けたときの取付け強度が保てず、日除け部３が風で煽られ剥離する場合がある。よって、空隙部の一辺及び他の一辺の長さを５ｍｍ以上５０ｍｍ以下とすることで補強ネットの風抜けの効果を確保しつつコストの増加も抑制し、さらに日除け部の補強ネットに対する取付け強度も確保でき、日除け部が風で煽られ剥離しにくくできるためである。
【００１５】
本開示の一態様は、補強ネットの外周部に設けられ日除けシートを設置するための設置用ロープ部を更に備えていてもよい。このような構成によれば、設置用ロープ部を備えない構成と比較して、日除けシートを取り付けやすくできる。
【図面の簡単な説明】
【００１６】
【図１】図１は、広げられた状態の日除けシートを示す図である。
【図２】図２は、図１のII−II断面図である。
【図３】図３は、補強ネットを示す図である。
【図４】図４は、図１の破線で囲まれた領域Ｒの拡大図であって、領域Ｒを日除け部側（図１の紙面手前側）から見た図である。
【図５】図５は、図１の破線で囲まれた領域Ｒの拡大図であって、領域Ｒを補強ネット側（図１の紙面奥側）から見た図である。
【発明を実施するための形態】
【００１７】
以下、図面を参照しながら、本開示を実施するための形態を説明する。
［１．構成］
図１に示す日除けシート１は、家屋の建築や改修工事の現場等において日差しを遮断するために、建築物の屋根の上方に位置するように設置される。日除けシート１は、補強ネット２と複数（この例では２つ）の日除け部３と複数（この例では６つ）のロープ部４とを備える。
＜補強ネット＞
補強ネット２は外形が矩形状に構成される。補強ネット２の大きさは特に限定されないが、例えば矩形の長手方向の長さＬ１が１０ｍ、矩形の短手方向の長さＬ２が４ｍ８５ｃｍ程度となるように補強ネット２が構成されてもよい。なお、以下では補強ネット２（すなわち、日除けシート１）の短手方向に平行な方向をｘ軸方向、補強ネット２の長手方向に平行な方向をｙ軸方向、ｘ軸及びｙ軸方向に直交する方向をｚ軸方向と称す。これらｘ軸、ｙ軸及びｚ軸は、右手系の座標系を構成する。
【００１８】
図３及び図５に示すように、補強ネット２は格子状に形成される。格子の空隙部の一辺の長さＬ３が５ｍｍ以上５０ｍｍ以下、前記一辺に交差（本実施形態では直交）する他の一辺の長さＬ４が５ｍｍ以上５０ｍｍ以下となるように補強ネット２が構成されるのが好ましい。その理由は格子の空隙部が小さすぎると風抜けの効果が阻害され、空隙部が大きすぎると取り付けられた日除け部３が風で剥離してしまうおそれがあるためである。本実施形態では、空隙部の一辺の長さＬ３と他の一辺の長さＬ４とは互いに等しい。具体的には、空隙部は正方形状である。
【００１９】
また、補強ネット２は高密度ポリエチレンにより構成される。ただし、補強ネット２の素材はこれに限られず他の素材であってもよい。
＜日除け部＞
図１に示すように、２つの日除け部３は外形が矩形状に構成される。２つの日除け部３は互いに同一形状、同一構造である。日除け部３は、例えば長手方向の長さＬ５が９ｍ４０ｃｍ程度、短手方向の長さＬ６が１ｍ９０ｃｍ程度となるように構成されてもよい。日除け部３はその長手方向が補強ネット２の長手方向（ｙ軸方向）と一致するように、縫製、接着等で大きな補強ネット２の上若しくは下に取り付けられている。
【００２０】
また、２つの日除け部３は補強ネット２の中心線のうちｙ軸方向に平行な中心線に対し線対称となるように配置される。
また、２つの日除け部３は補強ネット２の外周部から間隔を空けて配置される。具体的には例えば、補強ネット２の外形（矩形）を構成する辺のうち短手方向に平行な２辺から２つの日除け部３までの距離Ｌ７，Ｌ８は共に３０ｃｍ程度であってもよい。また、補強ネット２の外形を構成する辺のうち長手方向に平行な辺から２つの日除け部３までの距離Ｌ９，Ｌ１０は共に３０ｃｍ程度であってもよい。
【００２１】
本実施形態では、日除けシート１の全体の面積（すなわち、補強ネット２の外形（矩形）の面積）に対する日除け部３の面積（２つの日除け部３の面積の合計）の割合が７０％以上９０％以下であることが好ましい。その理由は次のとおりである。すなわち、日除け部３の面積の割合が７０％未満の場合、日除けシート１全体としての遮光率が低下し、日除けシート１の日除け効果を確保できない。一方、面積の割合が９０％よりも大きい場合、日除けシート１のうち日除け部３が取り付けられていない部分（すなわち補強ネット２のみの部分）が少なくなり、補強ネット２による風抜け効果が減少する。従って、日除け部３の面積の割合が７０％以上９０％以下とすることで日除けシート１の日除け効果と風抜け効果との両方を確保できるためである。
【００２２】
図４及び図５に示すように日除け部３は、フィルムや不織布などのシート状の素材を細長く裁断したスリットヤーン５１を経糸に使用して構成された織物である。また日除け部３は遮光率が７０％以上９６％以下である。ここでいう遮光率は、ＪＩＳ  Ｌ１０５５に準拠して測定されるものである。
【００２３】
また、ここでいう遮光率は、日除け部３を構成する複数のスリットヤーン５１の間隔Ｌ１３で調整されるものである。すなわち、複数のスリットヤーン５１の間隔Ｌ１３が大きくなれば複数のスリットヤーン５１の間から漏れる太陽光の量が増加し、日除け部３の遮光率が低下する。一方、複数のスリットヤーン５１の間隔Ｌ１３が小さくなれば複数のスリットヤーン５１の間から漏れる太陽光の量が減少し、日除け部３の遮光率が向上する。なお、スリットヤーン５１自体の遮光率は約９９％である。
【００２４】
日除け部３の遮光率が７０％未満の場合、日除け部３の日除け効果を充分に確保できない。一方、遮光率が９６％よりも大きい場合、シート上の水が複数のスリットヤーン５１の間を通って抜けにくくなり、また、複数のスリットヤーン５１の間を抜ける風量も減少する。従って、日除け部３の遮光率を７０％以上９６％以下とすることで日除け部の日除け効果を確保しつつシートの水はけ効果及び風抜け効果を確保できる。
【００２５】
また、図１に示す複数の日除け部３の間隔Ｌ１１を適宜変更することにより複数の日除け部３の間から漏れる太陽光の量を調整し、日除け部３単体の遮光率ではなく日除けシート１全体の遮光率を調整できる。本実施形態では、複数の日除け部３の間隔Ｌ１１は３０ｃｍ程度に設定される。
【００２６】
スリットヤーン５１は、高密度ポリエチレンの極細長繊維によって構成される不織布である高密度ポリエチレン連続極細長繊維不織布により構成されることが好ましい。その理由は、高密度ポリエチレン極細長繊維不織布の表面で太陽光が乱反射することにより高密度ポリエチレン極細長繊維不織布が優れた遮熱性を有するためである。なお、高密度ポリエチレンの極細長繊維はミクロンオーダー径であり例えば０．５〜１０ミクロンである。
【００２７】
スリットヤーン５１に用いられる高密度ポリエチレン極細長繊維不織布の坪量は４０ｇ／ｍ２以上１２０ｇ／ｍ２以下であることが好ましい。その理由は次のとおりである。すなわち、坪量が４０ｇ／ｍ２よりも小さいと風などの影響でスリットヤーンが破れやすくなる。また坪量が１２０ｇ／ｍ２よりも大きいと日除けシートが重くなり、日除けシートの設置等の作業性が低下する。よって、坪量を４０ｇ／ｍ２以上１２０ｇ／ｍ２以下とすることでスリットヤーン５１を破れにくくでき、かつ、日除けシート１の設置等の作業性の低下を抑制できるためである。また本実施形態では、スリットヤーン５１として米国デュポン社のタイベックが使用される。
【００２８】
このようなスリットヤーン５１（タイベック）は、高密度ポリエチレン１００％製の強靱で耐久性のある不織布である。また、スリットヤーン５１の表面で光が乱反射し、赤外線から可視光線、さらには紫外線に対して高い反射率及び低い吸収率を発揮し、赤外線を反射することで優れた遮熱性を発揮する。また、スリットヤーン５１は強靱であり、容易には破れない。さらには、人体に有害な紫外線Ｂ波を９５％カットする。また、耐水性もあり軽量である。
【００２９】
スリットヤーン５１は、当該スリットヤーン５１が細長く延びている方向（以下、ＭＤ方向。）に対して垂直方向に多数並列している。ＭＤ方向は、シート状の素材からスリットヤーン５１を作製する際の前記シート状の素材を細長く裁断する方向である。図４及び図５においてスリットヤーン５１のＭＤ方向はｙ軸方向に一致している。
【００３０】
織物としての日除け部３の経糸はスリットヤーン５１とモノフィラメント５２とで構成される。また、日除け部３の緯糸はモノフィラメント５３とで構成される。モノフィラメント５２はスリットヤーン５１のＭＤ方向と平行に配され、モノフィラメント５３はＭＤ方向に対して垂直方向（以下、ＣＤ方向。）と平行に配される。なお、図４及び図５においてＭＤ方向はｙ軸方向と一致しておりＣＤ方向はｘ軸方向と一致している。モノフィラメント５３はＭＤ方向（ｙ軸方向）において等間隔に配されており、モノフィラメント５２及び５３により格子が形成されている。スリットヤーン５１及びモノフィラメント５２，５３が平織りされることで日除け部３が構成される。なおモノフィラメント５２及びモノフィラメント５３は共にポリエチレンにより構成される。
【００３１】
なお、図４及び図５に示されるように、モノフィラメント５３は日除け部３の一方の面側と他方の面側とのそれぞれにおいてＣＤ方向（ｘ軸方向）に平行に配されている。つまり、日除け部３の一方の面側にモノフィラメント５３（例えば図４に示すモノフィラメント５３）が配され、日除け部３の他方の面側にモノフィラメント５３（例えば図５に示すモノフィラメント５３）が配され、これらのモノフィラメント５３が互いに平行に配されている。
【００３２】
また、隣接する２つのスリットヤーン５１の間には複数本（３本）のモノフィラメント５２が配されている。３本のモノフィラメント５２はＭＤ方向（ｙ軸方向）に沿ってモノフィラメント５３と上下に交差するように配される。３本のモノフィラメント５２のうち２本のモノフィラメント５２と残り１本のモノフィラメント５２とは、モノフィラメント５３と交差するタイミングが、モノフィラメント５３の配置間隔１つ分ずれている。すなわち、モノフィラメント５２とモノフィラメント５３との交差箇所において、３本のモノフィラメント５２のうち２本のモノフィラメント５２がモノフィラメント５３の上方（下方）に配され、残り１本のモノフィラメント５２がモノフィラメント５３の下方（上方）に配されている。
【００３３】
スリットヤーン５１の幅Ｌ１２は４ｍｍ以上１０ｍｍ以下であることが好ましい。その理由は次のとおりである。すなわち、幅Ｌ１２が４ｍｍ未満の場合、日除け部３の遮光性が低下し、また、物理的な外力によりスリットヤーン５１が破れやすくなる。逆に幅Ｌ１２が１０ｍｍよりも大きいと降雨時に雨水が日除け部３を通り抜けにくくなりシート上に雨水が溜まりやすくなる。よって、幅Ｌ１２を４ｍｍ以上１０ｍｍ以下とすることで、日除け部３の遮光性、スリットヤーン５１の強度及び日除け部３の両方を確保し、さらにシートの水はけ効果及び風抜け効果を確保できるためである。
＜ロープ部＞
図１に示すロープ部４は、補強ネット２の外周部に沿うように補強ネット２に取り付けられる。ロープ部４は高密度ポリエチレンにより構成されたロープである。しかし、ロープ部の素材はこれに限られずロープ部は他の素材から構成されていてもよい。本実施形態ではロープ部４が補強ネット２の外周部に沿って設けられることで日除けシート１の外周部が補強される。
【００３４】
ロープ部４の一部は、建築現場において仮設される足場構造体の支柱等に取付け可能になっている。つまり、ロープ部４の一部は前記支柱等に日除けシート１を取り付けるための設置用ロープ部４ａとして機能する。日除けシート１では、補強ネット２の外形である矩形の四隅と、外形を構成する辺のうち長手方向に平行な２辺それぞれの中央部と、の計６箇所に設置用ロープ部４ａが設けられている。
【００３５】
なお、設置用ロープ部４ａを介して補強ネット２が前記支柱等に取り付けられる。日除け部３を直接支柱等に取り付けた場合、日除け部３が風で煽られ日除け部３が破れることがあるが、補強ネット２を支柱等に取り付けることで日除けシート１の日除け部３を破れにくくできる。
【実施例】
【００３６】
以下の実施例及び比較例において製造された日除けシート１の評価は、以下の方法によって行った。
（１）日除け効果の評価
１ｍ角の日除けシート１の製品サンプルの四隅を４本の支柱に高さ５０ｃｍの所で結びつける。４本の支柱で囲まれた範囲の地表中央部に５０ｃｍ角の屋根用ガルバリウム鋼板を置き、８月の昼間の日射がある時間帯で日除けシート１の製品サンプルが無い状態１０分放置する。その後、製品サンプルを設置して屋根用ガルバリウム鋼板の表面温度を測定する。なお、ガルバリウム鋼板は登録商標である。
【００３７】
製品サンプルの設置後１０分経過した時点の前記屋根用ガルバリウム鋼板の表面温度を、製品サンプルが無い状態の前記屋根用ガルバリウム鋼板の表面温度と比べる。温度差が３５℃以上ある製品サンプルについては日除け効果を○と評価し、温度差が３５℃未満である製品サンプルについては日除け効果を×と評価した。
（２）水抜け効果の評価
１ｍ角の日除けシート１の製品サンプルの四隅を４本の支柱に結びつける。その後、日除けシート１の製品サンプルの中央部に家庭用の散水器で２分間散水し、水が２分以内に抜ける製品サンプルについては水抜け効果を○と評価し、水が２分経っても抜けない製品サンプルについては水抜け効果を×と評価した。
（３）風抜け効果の評価
１ｍ角の日除けシート１の製品サンプルの四隅を４本の支柱に結びつける。家庭用の扇風機で下側から日除けシート１の製品サンプルにスイッチ強（風速計で４ｍ／ｓ程度）の風を当て続ける。風が当たり膨らむが元の位置（形状）に戻る製品サンプルについては風抜け効果を○と評価し、ずっと膨らんだ状態が続く製品サンプルについては風抜け効果を×と評価した。ただし、製品サンプルの位置が元に戻った後、また製品サンプルが膨らんだとしても上記評価結果には影響ないものとする。
（４）日除け部の強度の評価
１ｍ角の日除けシート１の製品サンプルの四隅を４本の支柱に高さ５０ｃｍの所で結びつける。その後、製品サンプルにおける日除け部３の上に金属製の重量１０ｋｇの錘を複数載せていく。１０個以上錘を載せても日除け部が破れない製品サンプルについては日除け部の強度を場合○、１〜９個錘を載せた時点で日除け部が破れてしまう製品サンプルについては日除け部の強度を×と評価した。
＜実施例１＞
以下の条件の製品サンプルを作製し、実施例１とした。
・日除け部３の遮光率が７５％
・スリットヤーンに用いられる高密度ポリエチレン極細長繊維不織布の坪量が４７．５ｇ／ｍ２
・ネット体２の空隙部の一辺の長さＬ３及び他の一辺の長さＬ４が共に１０ｍｍ
・日除けシート１の全体の面積に対する日除け部３の面積の割合が８４．５％
上記の実施例１について前述の方法により評価した。評価結果を表１に示した。
【表１】
2020112005.tif 000003
＜実施例２＞
以下の条件の製品サンプルを作製し、実施例２とした。
・日除け部３の遮光率が９０％
・スリットヤーンに用いられる高密度ポリエチレン極細長繊維不織布の坪量が１００ｇ／ｍ２
・ネット体２の空隙部の一辺の長さＬ３及び他の一辺の長さＬ４が共に１０ｍｍ
・日除けシート１の全体の面積に対する日除け部３の面積の割合が７２％
上記の実施例２について前述の方法により評価した。評価結果を表１に示した。
＜比較例１＞
以下の条件の製品サンプルを作製し、比較例１とした。なお、日除け部３の遮光率、及び、日除けシート１の全体の面積に対する日除け部３の面積の割合、を以下のように変更した他は第１実施例と同様である。
・日除け部３の遮光率が６０％
・日除けシート１の全体の面積に対する日除け部３の面積の割合が７５％
上記の比較例１について前述の方法により評価した。評価結果を表１に示した。
＜比較例２＞
以下の条件の製品サンプルを作製し、比較例２とした。なお、日除け部３の遮光率、及び、日除けシート１の全体の面積に対する日除け部３の面積の割合、を以下のように変更した他は第１実施例と同様である。
・日除け部３の遮光率が９７％
・日除けシート１の全体の面積に対する日除け部３の面積の割合が７０％
上記の比較例２について前述の方法により評価した。評価結果を表１に示した。
＜比較例３＞
以下の条件の製品サンプルを作製し、比較例３とした。なお、日除け部３の遮光率、及び、日除けシート１の全体の面積に対する日除け部３の面積の割合、を以下のように変更した他は第１実施例と同様である。
・日除け部３の遮光率が７５％
・日除けシート１の全体の面積に対する日除け部３の面積の割合が５０％
上記の比較例３について前述の方法により評価した。評価結果を表１に示した。
【００３８】
［２．効果］
以上詳述した実施形態によれば、以下の効果が得られる。
（１）本実施形態の日除けシート１によれば、補強ネット２（具体的には、補強ネット２において日除け部３が設置されていない部分）が十分に風を通すため、ブルーシートと比較して通気性を向上できる。また、日除け部３は織物であるため水を通す隙間が日除け部３に存在する。よって、ブルーシートと比較してシート上に水が溜まりにくくできる。また、ブルーシートを家屋等の屋根の上方などに設置した場合、ブルーシートが風で煽られてバタバタと音が発生する。これに対して、日除けシート１によれば、ブルーシートと比較して風で煽られた際に発生する音を小さくすることができる。
【００３９】
さらに、日差しを遮ることで作業空間の温度上昇を抑制し、作業空間の温度を外気温と同程度に維持できる。よって、作業者が連続して作業できる時間を長くできる。また、作業者が熱中症になったり高温状況下による体調不良になったりすることを抑制できる。
【００４０】
（２）本実施形態では、日除け部３は織物であり、経糸はスリットヤーン５１とモノフィラメント５２とで構成され、緯糸はモノフィラメント５３である。従って、モノフィラメント５２，５３により日除け部３が補強されて頑丈となる。従って、日除け部３を破損しづらくできる。
【００４１】
特に、日差しを遮る遮光部がスリットヤーン５１により構成されているため、遮光部がスリットヤーン５１の並列方向（ＣＤ方向）に沿って区分されていることになる。また複数のスリットヤーン５１の間にはモノフィラメント５２がＭＤ方向に平行に配されている。よって、遮光部の一部が破れても、その破れは隣接するスリットヤーン５１の間（すなわち、遮光部が区切られている箇所）で止まり、破れがスリットヤーン５１の並列方向（ＣＤ方向）に伝搬することを抑制できる。
【００４２】
また、モノフィラメント５３がＭＤ方向において間隔をおいて配されているため、遮光部の一部が破れても、その破れはモノフィラメント５３が配置されている箇所で止まり、破れがＭＤ方向に伝搬することを抑制できる。
【００４３】
従って、日除けシート１によれば遮光部の一部が破れてもその破れが伝搬することを抑制できる。
（３）本実施形態では、日除けシート１の全体の面積に対する日除け部３の面積の割合が７０％以上９０％以下である。従って、日除けシートの日除け効果と風抜け効果との両方を確保できる。
【００４４】
（４）本実施形態では、スリットヤーン５１は、高密度ポリエチレンの連続極細長繊維不織布により構成される。従って、スリットヤーンが高密度ポリエチレンの連続極細長繊維不織布以外の素材で構成される場合と比較して優れた遮熱性を発揮し、強靱である日除けシート１を提供できる。
【００４５】
（５）本実施形態では、スリットヤーン５１の坪量が、４０ｇ／ｍ２以上１２０ｇ／ｍ２以下である。従って、スリットヤーン５１を破れにくくでき、かつ、日除けシート１の設置等の作業性の低下を抑制できる。
【００４６】
（６）本実施形態では、補強ネット２の矩形状の空隙部の一辺の長さが５ｍｍ以上５０ｍｍ以下であり、前記一辺に交差する空隙部の他の一辺の長さが５ｍｍ以上５０ｍｍ以下である。従って、補強ネット２の風抜けの効果を確保しつつコストの増加も抑制し、さらに日除け部３の補強ネット２に対する取付け強度も確保でき、日除け部３が風で剥離しにくくできる。
【００４７】
（７）本実施形態では、日除けシート１は設置用ロープ部４ａを更に備える。従って、設置用ロープ部４ａを備えない構成と比較して、建築現場等において仮設される足場構造体の支柱等に日除けシート１を取り付けやすくできる。
【００４８】
［３．他の実施形態］
以上、本開示を実施するための形態について説明したが、本開示は上述の実施形態に限定されることなく、種々変形して実施することができる。
【００４９】
（１）上記実施形態では、日除け部３はスリットヤーン５１を経糸に使用した織物であるが、日除け部３の構造はこれに限られない。日除け部は例えばスリットヤーンを緯糸に使用した織物であってもよい。つまり、スリットヤーン５１は経糸及び緯糸のいずれか一方として使用されてもよい。
【００５０】
（２）上記実施形態では、日除け部３はスリットヤーン５１、モノフィラメント５２及びモノフィラメント５３を平織りして構築されるが、日除け部の織り方はこれに限らない。日除け部は、例えば、スリットヤーン５１、モノフィラメント５２及びモノフィラメント５３の綾織り、朱子織り等で構築されてもよい。
【００５１】
（３）上記実施形態では、日除け部３はスリットヤーン５１を使用して構成された織物であるが、日除け部はこれに限られない。日除け部は例えばスリットヤーン５１を使用して構成された編物であってもよい。この場合において日除け部は例えば、スリットヤーン５１、モノフィラメント５２及びモノフィラメント５３を使用して構成された経編地であってラッセル編みされたラッセル編地等であってもよい。
【００５２】
（４）上記実施形態では、日除けシート１は２つの日除け部３を備えるが、日除け部の数はこれに限られない。日除けシートは１つ又は３つ以上の日除け部を備えていてもよい。
（５）上記実施形態において、日除けシート１の全体の面積に対する日除け部３の面積の割合が７０％未満又は９０％よりも大きくてもよい。
【００５３】
（６）上記実施形態において、補強ネットの矩形状の空隙部の一辺の長さが５ｍｍ未満又は５０ｍｍよりも大きく、また、前記一辺に交差する空隙部の他の一辺の長さが５ｍｍ未満又は５０ｍｍよりも大きくてもよい。
【００５４】
（７）上記実施形態では、スリットヤーン５１は高密度ポリエチレン連続極細長繊維不織布により構成されるが、スリットヤーンの組成はこれに限られない。スリットヤーンは
例えばポリエステル不織布又はポリエステルフィルム等により構成されてもよい。
【００５５】
（８）上記実施形態では、設置用ロープ部４ａは、補強ネット２の外周部に沿って設けられたロープ部４の一部であるが、設置用ロープ部はこれに限られない。例えば補強ネット２の外周部に沿ってロープ部が設けられておらず、設置用ロープ部だけが補強ネット２における所定箇所に設けられていてもよい。ここでいう所定箇所とは例えば、補強ネット２の外形である矩形の四隅と、外形を構成する辺のうち長手方向に平行な２辺それぞれの中央部と、の計６箇所等である。
【００５６】
（９）上記実施形態では、設置用ロープ部４ａは補強ネット２に直接取り付けられるが、設置用ロープ部４ａの補強ネット２への取付け方はこれに限られない。例えば、補強ネット２の外縁にベルトを取付け、そのベルトに設置用ロープ部を取り付けてもよい。また例えば、補強ネット２の外縁にハトメを装着し、そのハトメに設置用ロープ部を挿通させてもよい。すなわち、設置用ロープ部は直接的又は間接的のいずれの方法で補強ネット２に取り付けられてもよい。
【００５７】
（１０）上記実施形態では、日除けシート１は６つの設置用ロープ部４ａを備えるが、設置用ロープ部の数はこれに限られない。日除けシートは６以外の数の設置用ロープ部を備えていてもよい。
【００５８】
（１１）上記実施形態において、隣接する２つのスリットヤーン５１の間に１本、又は、３本以外の複数本のモノフィラメント５２が配されてもよい。
（１２）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言によって特定される技術思想に含まれるあらゆる態様が本開示の実施形態である。
【符号の説明】
【００５９】
１…日除けシート、２…補強ネット、３…日除け部、４ａ…設置用ロープ部、５１…スリットヤーン、５２，５３…モノフィラメント。
【図１】
2020112005.tif 000004
【図２】
2020112005.tif 000005
【図３】
2020112005.tif 000006
【図４】
2020112005.tif 000007
【図５】
2020112005.tif 000008